(57)【要約】【課題】浴室内に光の演出効果を醸し出すバスタブ内の湯水からの反射光や透過光を有効利用しつつバスタブ内の入浴者の異常を確実に検出すると共に、装置の構成の簡略化や信頼性向上等を同時に図る浴室の安全装置を提供する。【解決手段】浴室内に設けられバスタブ内の湯水に光を照射する発光手段と、該発光手段から照射されバスタブ内の湯水で反射もしくは透過された光を受光する受光手段と、を備え、受光手段で受光された光によって前記湯水の揺らぎを検知し、該検知結果に基づきバスタブ内の入浴者の状態を判定することを特徴とする。そして、バスタブ内の入浴者を検出手段が検出した際に、受光手段で受光した光によって入浴者の状態を判定する。【選択図】　図２
2004065708.tif 000002
【特許請求の範囲】
【請求項１】
浴室内に設けられバスタブ内の湯水に光を照射する発光手段と、該発光手段から照射されバスタブ内の湯水で反射もしくは透過された光を受光する受光手段と、を備え、
前記受光手段で受光された光によって前記湯水の揺らぎを検知し、該検知結果に基づき前記バスタブ内の入浴者の状態を判定することを特徴とする浴室の安全装置。
【請求項２】
前記バスタブ内の入浴者を検出手段が検出した際に、前記受光手段で受光した光によって入浴者の状態を判定することを特徴とする請求項１に記載の浴室の安全装置。
【請求項３】
前記受光手段で受光された光によって、湯水に揺らぎがある場合にバスタブ内の入浴者が正常状態であると判定し、湯水に所定時間揺らぎがない場合にバスタブ内の入浴者が異常状態であると判定することを特徴とする請求項１または２に記載の浴室の安全装置。
【請求項４】
前記発光手段は、浴室の天井パネルに設けられ浴室の少なくとも壁パネルに反射光を写し出す照明装置であることを特徴とする請求項１ないし３のいずれかに記載の浴室の安全装置。
【請求項５】
前記受光手段は、前記反射光が写し出される壁パネルと天井パネルの少なくとも一方に設けられていることを特徴とする請求項４に記載の浴室の安全装置。
【発明の詳細な説明】
【０００１】
【発明の属する技術分野】
本発明は、例えばユニットバスルーム等の浴室の安全装置に係わり、特に、バスタブ内における入浴者の異常発生を検出し得る浴室の安全装置に関する。
【０００２】
【従来の技術】
従来、浴室におけるこの種の安全装置としては、バスタブ内部に水位センサと発光部及び受光部を配置し受光部による光の遮られ方により入浴者の位置を検知して異常検出したり、浴室の壁パネルに発光手段や受光手段を配置し受光手段で受光した光によって入浴者の異常を検出するもの、あるいは画像入力装置によって入浴者の呼吸器を監視し呼吸器の水没を検知することで入浴者の異常を検出するもの等が知られている。
【０００３】
【発明が解決しようとする課題】
しかしながら、これらの安全装置においては、異常検出のための専用の発光手段や画像入力装置を設ける必要があるため、安全装置自体の構成が複雑化してコスト高を招き易いという問題点を有している。また、発光手段を用いた安全装置の場合は、発光手段や受光手段の配置位置が、検知精度の面から検知する入浴者の近傍、すなわち湯水を使用する場所の近くとなる場合が多く、水滴等が各手段に直接付着するために安全装置の信頼性が低下し易く、また画像処理装置を用いる場合は、入浴者のプライバシー保護の面で好ましくないという問題点を有している。
【０００４】
本発明は、このような事情に鑑みてなされたもので、浴室内に光の演出効果を醸し出すバスタブ内の湯水からの反射光や透過光を有効利用しつつバスタブ内の入浴者の異常を確実に検出すると共に、装置の構成の簡略化や信頼性向上等を同時に図る浴室の安全装置を提供することにある。
【０００５】
【課題を解決するための手段】
かかる目的を達成すべく、本発明のうち請求項１記載の発明は、浴室内に設けられバスタブ内の湯水に光を照射する発光手段と、該発光手段から照射されバスタブ内の前記湯水で反射もしくは透過された光を受光する受光手段と、を備え、前記受光手段で受光された光によって湯水の揺らぎを検知し、該検知結果に基づき前記バスタブ内の入浴者の状態を判定することを特徴とする。
【０００６】
このように構成することにより、浴室内に設けられた発光手段からバスタブの湯水に照射される光は、湯水で反射されたり湯水を透過してその反射光や透過光が浴室の壁パネルや天井パネルに写し出され、この反射光もしくは透過光が受光手段によって受光される。そして、この受光手段で受光される光が、例えば所定時間変化しない場合は湯水の揺らぎがない、すなわちバスタブ内に入浴中の入浴者に動きがないものとして、異常と判定して警報信号等を発する。これにより、反射光や透過光により浴室内に幻想的な雰囲気を醸し出しつつ、これらの光を利用して入浴者の異常検出が可能になる。また、専用の発光手段が不要となって装置の構成の簡略化が図れると共に、受光手段等を壁パネル上部や天井パネルに設けることで、これらへ水滴等が直接付着することを防止でき、装置の信頼性向上等が図れる。
【０００７】
また、請求項２に記載の発明は、前記バスタブ内の入浴者を検出手段が検出した際に、前記受光手段で受光した光によって入浴者の状態を判定することを特徴とする。このように構成することにより、検出手段がバスタブ内の入浴者を検出した際に、受光手段が作動可能な状態となることから、例えば入浴者が洗い場にいる場合の装置の誤動作が防止されて、異常検出の精度が高められる。
【０００８】
また、請求項３に記載の発明は、前記受光手段で受光された光によって、湯水に揺らぎがある場合にバスタブ内の入浴者が正常状態であると判定し、湯水に所定時間揺らぎがない場合にバスタブ内の入浴者が異常状態であると判定することを特徴とする。このように構成することにより、湯水の揺らぎの停止が所定時間継続した際に、入浴者が異常状態であると判定されることから、瞬間的な揺らぎの停止を異常と判定することがなくなり、装置の誤動作が確実に防止されて異常検出の精度が一層高められる。
【０００９】
また、請求項４に記載の発明は、前記発光手段が、浴室の天井パネルに設けられ浴室の少なくとも壁パネルに反射光を写し出す照明装置であることを特徴とし、この場合、前記受光手段は、請求項５に記載の発明のように、前記反射光が写し出される壁パネルと天井パネルの少なくとも一方に設けられる。
【００１０】
このように構成することにより、天井パネルに設けられたスポットライト照明装置等の照明装置でバスタブの湯水に光を上方から照射し、その反射光を壁パネルや天井パネルに写し出すことができることから、例えば照明装置の後付けが可能になる等、構成簡易にして発光手段の浴室への設置等が容易に行える。また、この反射光が壁パネルや天井パネルに設けられた受光手段で受光されることから、受光手段を反射光が確実に受光できる最適位置に容易に設置できる。
【００１１】
【発明の実施の形態】
以下、本発明の実施の形態を図面に基づいて詳細に説明する。
図１〜図４は、本発明に係わる安全装置を使用した浴室の一実施例を示し、図１がその内部の斜視図、図２がその概略側面図、図３がその概略平面図、図４がその動作の一例を示すフローチャートである。
【００１２】
図１〜図３において、浴室１は、防水パン２と、４枚の壁パネル３ａ〜３ｄ（壁パネル３ａは図２及び図３参照）と、例えばドーム型の天井パネル４によって箱状に形成されている。防水パン２上には、壁パネル３ｂ側にバスタブ５が設置されると共に、壁パネル３ｄ側に洗い場６が設けられ、この洗い場６の壁パネル３ｃ側にはカウンター７が設けられている。なお、カウンター７上部には、ミラー９、収納棚１０、シャワー１１、水栓１２及び照明装置１３が一体的に組み付けられたミラーパネル８が配設されている。
【００１３】
また、天井パネル４の左右の側壁４ａには、浴室１内方向に向けて一対のスピーカ１５（一方のスピーカ１５のみ示す）が取り付けられると共に、バスタブ５の壁パネル３ａ側の壁面（もしくは壁パネル３ａ）にはアクチュエータ１６が取り付けられている。このスピーカ１５やアクチュエータ１６は、浴室外の所定位置に配置された後述する制御装置１８（図２参照）に電気的に接続されており、この制御装置１８の制御によって、スピーカ１５で中高音が再生されたり警報音が発せられ、また、アクチュエータ１６によるバスタブ５自体（あるいは壁パネル３ａやその内側の音響空間）の振動で低音が再生されるように構成されている。
【００１４】
そして、この浴室１には、安全装置１７が設置されている。この安全装置１７は、発光手段としてのスポットライト照明装置１９と、受光手段としての光センサ２０ａ、２０ｂと、検出手段としての入浴者検出センサ２１及びこれらを制御する前記制御装置１８等によって構成されている。なお、制御装置１８は、例えばマイコン２４（図２参照）等を有し、浴室１の入口部分に設けられた操作盤２２と浴室１の壁パネル３ｂに配置されたリモコン２３及び前記スピーカ１５等が接続されている。操作盤２２には、安全装置１７を作動可能な状態にする入浴スイッチ２５やスポットライト照明スイッチ２６等が設けられ、リモコン２３にはスポットライト照明スイッチ２６等が設けられている。
【００１５】
前記スポットライト照明装置１９は、天井パネル４の内面で壁パネル３ａ側に取り付けられており、光源としての例えばハロゲンランプ（図示せず）を有している。そして、前記制御装置１８の制御によってそのスポットライト１９ａがバスタブ５内に照射されるようになっている。このスポットライト照明装置１９から照射されたスポットライト１９ａは、バスタブ５内の湯水Ｗで図１の矢印イ、ロの如く反射されて、浴室１の壁パネル３ａ〜３ｄや天井パネル４に反射光Ｒが写し出されるように設定されている。なお、スポットライト照明装置１９は、前記リモコン２３や操作盤２２の操作で調光可能に構成されたり変色可能に構成されていることが好ましい。
【００１６】
前記光センサ２０ａ、２０ｂは、例えば壁パネル３ｃの上部所定位置と天井パネル４の所定位置に取り付けられており、光起電力効果、光導電効果あるいは光電子放出効果等の物理的現象によって、スポットライト照明装置１９による前記反射光Ｒの状態（例えば有無や強弱等）を検知するようになっている。この光センサ２０ａ、２０ｂで検知された光データが、前記制御装置１８に入力され、該制御装置１８のマイコン２４等により所定のデータ処理がなされ、後述する如くバスタブ５内に入浴中の入浴者Ｍの状態が判定されることになる。
【００１７】
なお、光センサ２０ａ、２０ｂは、反射光Ｒの検知精度を高めるために、反射光Ｒが最も強く反射される壁パネル３ｃと天井パネル４の所定位置にそれぞれ配置されることが好ましいが、例えば図３の二点鎖線で示すように、壁パネル３ａにも配置する等、スポットライト照明装置１９の配置位置やそのハロゲンランプの光の強さ等に応じて適宜に設定される。
【００１８】
前記入浴者検出センサ２１は、バスタブ５の反半身浴側の側壁５ａに取り付けられ、バスタブ５内に入浴者Ｍがいるかいないか（入浴者Ｍの有無という）を検出できるようになっている。この入浴者検出センサ２１は特に限定されず光センサや圧力センサ等によって構成しても良いが、本実施例においては、湯水の汚れや入浴剤が入っている場合等を考慮し赤外線センサで構成している。
【００１９】
なお、この入浴者検出センサ２１は、反半身浴側の側壁５ａの所定高さ位置に設けることで、図２に示す反半身浴側に座って入浴している入浴者Ｍ、あるいは半身浴用の座部に座って半身浴している入浴者（図示せず）のいずれもが検出できる位置であればよく、例えば図２の二点鎖線で示すように、バスタブ５の半身浴側の側壁５ｂや底壁５ｃ等に設けることもできるし、その個数も１つに限定されず複数個設けて検出精度を高めることも勿論可能である。
【００２０】
次に、前記安全装置１７の動作の一例を図４のフローチャートに基づいて説明する。なお、このフローチャートは、制御装置１８のマイコン２４に予め組み込まれたプログラムにしたがって自動的に実行される。先ず、入浴者Ｍが入浴しようとする場合、入浴者Ｍ自身もしくは家族が操作盤２２の入浴スイッチ２５をオンすると、プログラムが開始（Ｓ１０１）され、スポットライト照明スイッチ２６（以下、単に照明スイッチ２６という）がオンしたか否かが判断（Ｓ１０２）され、この判断Ｓ１０２は「ＹＥＳ」になるまで繰り返される。
【００２１】
そして、操作盤２２もしくはリモコン２３の照明スイッチ２６がオンされると判断Ｓ１０２で「ＹＥＳ」となり、入浴者検出センサ２１が入浴者Ｍを検出したか否かが判断（Ｓ１０３）され、この判断Ｓ１０３で「ＮＯ」の場合は判断Ｓ１０２に戻る。また、判断Ｓ１０３で「ＹＥＳ」の場合、すなわち入浴スイッチ２５がオンしてかつ入浴者Ｍがバスタブ５に入りこれが入浴者検出センサ２１で検出された場合は、壁パネル３ｃと天井パネル４に配置した２つの光センサ２０ａ、２０ｂで検知された反射光Ｒによる各光データをマイコン２４に読み込み（Ｓ１０４）、該マイコン２４でこの各光データを処理（Ｓ１０５）する。このデータ処理としては、例えば二値化処理が使用される。
【００２２】
ステップＳ１０５で２つの光センサ２０ａ、２０ｂからの光データがそれぞれデータ処理されると、この各処理データに基づき、先ず、光センサ２０ａ（図ではセンサ１と記す）の処理データが予め設定した所定状態か否かが判断（Ｓ１０６）され、この判断Ｓ１０６で「ＹＥＳ」の場合は、光センサ２０ｂ（図ではセンサ２と記す）の処理データが所定状態か否かが判断（Ｓ１０７）される。なお、判断Ｓ１０６で「ＮＯ」の場合及び判断Ｓ１０７で「ＮＯ」の場合は、共に判断Ｓ１０６に戻る。
【００２３】
この連続した判断Ｓ１０６、Ｓ１０７により、２つの光センサ２０ａ、２０ｂから得られた処理データが共に同じ所定状態か否かが判断されることになり、両判断Ｓ１０６、Ｓ１０７で共に「ＹＥＳ」の場合、すなわち２つの光センサ２０ａ、２０ｂで所定状態の反射光Ｒが共に検知された場合は、この所定状態が予め設定した所定時間の間継続したか否かが判断（Ｓ１０８）される。この判断で「ＹＥＳ」の場合、すなわち２つの光センサ２０ａ、２０ｂで検知された光データが所定時間同じ状態で、反射光Ｒに湯水Ｗによる揺らぎがない場合は、これを異常と判定して、異常信号を出力（Ｓ１０９）して、制御装置１８に接続された前記スピーカ１５もしくは浴室外に設けた図示しない警報専用のスピーカから警報音を発生して一連のプログラムを強制的に終了（Ｓ１１１）する。
【００２４】
また、判断Ｓ１０８で「ＮＯ」の場合、すなわち２つの光センサ２０ａ、２０ｂで検知された所定状態が、所定時間継続せず反射光Ｒに湯水Ｗによる揺らぎが直ぐ発生した場合等には、正常と判定して入浴スイッチ２５がオフしたか否かが判断（Ｓ１１０）される。そして、この判断Ｓ１１０で「ＮＯ」の場合にはステップＳ１０３に戻りステップＳ１０３移行を繰り返し、判断Ｓ１１０で「ＹＥＳ」の場合は、一連のプログラムを終了（Ｓ１１１）する。
【００２５】
つまり、スポットライト照明装置１９のスポットライト１９ａによる湯水Ｗの反射光Ｒを壁パネル３ｃと天井パネル４に設けた光センサ２０ａ、２０ｂでそれぞれ検知し、この両光センサ２０ａ、２０ｂで検知した光データが所定時間停止状態となった場合に、入浴者Ｍがバスタブ５内に入浴しているにも係わらず湯水Ｗの揺らぎが止まり入浴者Ｍに異常が発生したものとして警報が発せられることになる。そして、この警報を操作盤２２の操作で安全装置１７を作動状態にさせた家族等が感知することによって、入浴中の入浴者Ｍの異常発生を直ちに知ることができて、適正な処置が施されることになる。
【００２６】
なお、以上のフローチャートにおいては、光データを例えば二値化処理等のデータ処理することにより、反射光Ｒの揺らぎの有無、すなわち湯水Ｗの変動の有無を検知して異常か正常かを判定したが、例えばデータ処理等をすることなく光センサ２０ａ、２０ｂで所定の強度の光を検知したか否かで異常・正常を判定する等、他の適宜のフローチャートを採用することができる。
【００２７】
このように、上記実施例の安全装置１７にあっては、バスタブ５の湯水Ｗにスポットライト１９ａを照射し得るスポットライト照明装置１９を天井パネル４に取り付け、スポットライト１９ａの反射光Ｒを壁パネル３ｃと天井パネル４に設けた光センサ２０ａ、２０ｂで検知すると共に、湯水Ｗの揺らぎに対応して揺らぐ反射光Ｒの揺らぎが停止した場合に、入浴中の入浴者Ｍに異常が発生したものと判定して警報等を発するため、入浴者Ｍの異常状態の発生を湯水Ｗの揺らぎによって確実に検出することができる。
【００２８】
特に、予め設定した所定時間反射光Ｒに変動（湯水Ｗに揺らぎ）がない場合に異常と判定することから、極めて短時間の変動（揺らぎ）停止等を異常と判定することがなくなると共に、反射光Ｒを検知する光センサ２０ａ、２０ｂを反射光Ｒが得られ易い所定の二箇所に配置し、かつ両光センサ２０ａ、２０ｂで共に異常と判定された場合に異常と判定することから、異常状態の検出精度を高めることが可能になる。また、光センサ２０ａ、２０ｂで検知された光データを二値化処理して判定し易い処理データとして異常を判定するようにすれば、異常検出精度を一層高めることができる。
【００２９】
また、浴室１内に反射光Ｒによる幻想的な雰囲気を醸し出すスポットライト照明装置１９が安全装置１７の発光手段として兼用されるため、従来のように異常検出専用の発光手段等を設置する必要がなくなり、安全装置１７自体の構成を簡略化することができる。また、発光手段としてのスポットライト照明装置１９が天井パネル４に配置されると共に光センサ２０ａ、２０ｂが壁パネル４ｃや天井パネル４に配置されるため、スポットライト照明装置１９や光センサ２０ａ、２０ｂの後付け等が可能となり、例えば既存の浴室１に容易に付設することができる等、安価でかつ汎用性に優れた安全装置１７を容易に得ることが可能になる。
【００３０】
さらに、スポットライト照明装置１９や光センサ２０ａ、２０ｂが、バスタブ５や洗い場６より比較的遠い位置にある天井パネル４や壁パネル３ｃの上部に配置されているため、スポットライト照明装置１９や光センサ２０ａ、２０ｂにバスタブ５内や洗い場６で使用する湯水Ｗや水滴等が直接付着するようなことがなく、従来のようにバスタブ５近傍に配置する場合に比較して、安全装置１７の信頼性を大幅に高めることができて、安全装置１７を長期に亘り安定使用することが可能になる。
【００３１】
またさらに、スポットライト１９ａの反射光Ｒにより異常を判定するため、従来のような画像入力装置を使用せず、入浴中の入浴者Ｍのプライバシー保護を図ることができて、リラックスした入浴が可能になる。また、例えば浴室１のドア近傍に設けた操作盤２２の入浴スイッチ２５とスポットライト照明スイッチ２６をオンさせてスポットライト照明装置１９を点灯させるだけで、安全装置１７が入浴者Ｍを自動的に検出してその状態を逐次監視することができるため、安全装置１７の使い勝手と操作性の向上を図ることができる。これらのことから、この安全装置１７を例えば高齢化が進む家庭等に設置すれば、幻想的な雰囲気とプライバシーを含めた安全面での安心感を得ながら、高齢者や女性であっても快適な入浴が行えることになる。
【００３２】
ところで、上記実施例においては、発光手段としてスポットライト照明装置１９を使用し、そのスポットライト１９ａの湯水Ｗによる反射光Ｒでバスタブ５内にいる入浴者Ｍの異常状態を検出するようにしたが、本発明はこれに何等限定されず、例えば反射光Ｒの代わりに透過光を利用することもできる。この場合は、例えばバスタブ５の底壁５ｃや側壁５ａ、５ｂに適宜の照明装置（図示せず）を設け、この照明装置の照明光がバスタブ５内の湯水Ｗを透過しその透過光が浴室１内の壁パネル３ａ〜３ｄや天井パネル４に写し出されるように構成する。
【００３３】
そして、壁パネル３ａ〜３ｄや天井パネル４に写し出される透過光を前記光センサ２０ａ、２０ｂと同様の光センサによって検知し、バスタブ５内に入浴者Ｍが入浴しているにも係わらず、透過光に所定時間揺らぎが検知されない場合に異常状態として判定する。このように構成しても、透過光で異常を検出することができて、上記実施例と同様の作用効果が得られる。
【００３４】
なお、上記実施例においては、発光手段としてのスポットライト照明１９等を浴室１内に１個配置する場合について説明したが、例えば図３の二点鎖線で示すように、スポットライト照明装置１９を天井パネル４の壁パネル３ｃ側にも設けて２個のスポットライトでバスタブ５の湯水Ｗを照射するようにし、入浴者Ｍの異常検出精度を一層高める構成とすることもできるし、発光手段としてスポットライト照明装置１９以外の他の照明装置を使用することもできる。また、上記実施例においては、バスタブ５が半身浴用のバスタブである場合について説明したが、通常のバスタブであっても良いし、浴室１自体の形状等も一例であって、本発明に係わる各発明の要旨を逸脱しない範囲において適宜に変更することができる。
【００３５】
【発明の効果】
以上詳述したように、請求項１記載の発明によれば、発光手段からバスタブ湯水に照射された光の反射光や透過光が受光手段で受光されてバスタブ内の入浴者の状態が判定されるため、反射光や透過光により浴室内に幻想的な雰囲気を醸し出しつつ、これらの光を利用して入浴者の異常状態を精度良く検出することが可能になると共に、専用の発光手段等が不要となり装置の構成の簡略化が図れたり、受光手段等を壁パネル上部や天井パネルに設けることができ、さらに、水滴等が直接付着することも防止できて装置の信頼性の向上を図ることができる。
【００３６】
また、請求項２に記載の発明によれば、請求項１に記載の発明の効果に加え、検出手段でバスタブ内の入浴者が検出された際に、受光手段で受光した光によって入浴者の状態を判定するため、例えば入浴者が洗い場にいる場合の装置の誤動作が防止されて異常検出の精度を高めることができる。
【００３７】
また、請求項３に記載の発明によれば、請求項１または２に記載の発明の効果に加え、湯水の揺らぎの停止が所定時間継続した際に、入浴者が異常状態であると判定されるため、湯水の瞬間的な揺らぎの停止等を異常と判定することがなくなり、装置の誤動作が確実に防止されて、異常検出の精度を一層高めることができる。
【００３８】
また、請求項４に記載の発明によれば、請求項１ないし３のいずれかに記載の発明の効果に加え、天井パネルに設けたスポットライト等の照明装置でバスタブの湯水に光を上方から照射し、その反射光を壁パネルや天井パネルに写し出すことができるため、例えば照明装置の後付けが可能になる等、構成簡易にして発光手段の浴室への設置を容易に行うことができる。
【００３９】
また、請求項５に記載の発明によれば、請求項４に記載の発明の効果に加え、受光手段が反射光が写し出される壁パネルと天井パネルの少なくとも一方に設けられるため、受光手段を反射光が確実に受光できる最適位置に容易に設置できて、受光手段の浴室への設置を容易に行うことができる等の効果を奏する。
【図面の簡単な説明】
【図１】本発明に係わる安全装置を使用した浴室の内部を示す斜視図
【図２】同その概略側面図
【図３】同その概略平面図
【図４】同その動作の一例を示すフローチャート
【符号の説明】
１・・・・・・・・・浴室
３ａ〜３ｄ・・・・・壁パネル
４・・・・・・・・・天井パネル
５・・・・・・・・・バスタブ
５ａ、５ｂ・・・・・側壁
５ｃ・・・・・・・・底壁
１４・・・・・・・・スピーカ
１７・・・・・・・・安全装置
１８・・・・・・・・制御装置
１９・・・・・・・・スポットライト照明装置
１９ａ・・・・・・・スポットライト
２０ａ、２０ｂ・・・光センサ
２１・・・・・・・・入浴者検出センサ
２２・・・・・・・・操作盤
２３・・・・・・・・リモコン
２４・・・・・・・・マイコン
２５・・・・・・・・入浴スイッチ
２６・・・・・・・・スポットライト照明スイッチ
Ｒ・・・・・・・・・反射光
Ｗ・・・・・・・・・湯水
Ｍ・・・・・・・・・入浴者
【図１】
2004065708.tif 000003
【図２】
2004065708.tif 000004
【図３】
2004065708.tif 000005
【図４】
2004065708.tif 000006